(57)【要約】  【課題】別途の保管場所を必要とせず、１つのテーブルで小さく使え、時には長手方向に広く使える伸縮テーブルを提供すること。  【解決手段】第１天板１と、第１天板１から下方へ延びる脚部２ａ〜２ｄとを備える親テーブル１Ａと、親テーブルの第１天板１より小さな子天板５１と、子天板５１から下方に延びる、親テーブルの脚部２ａ〜２ｄより短い子脚部５２ａ、５２ｂとを備え、且つ親テーブル１Ａの長手方向にスライド自在に嵌合する、子テーブル５０Ａからなり、縮小位置において、子テーブル５０Ａは親テーブル１Ａの中に収容される伸縮テーブル１０。【選択図】        図３
0003108983.tif 000002
【実用新案登録請求の範囲】
【請求項１】
第１天板と、該第１天板から下方へ延びる脚部を備える親テーブルと、
該親テーブルの第１天板より小さな子天板と、該子天板から下方に延びる、該親テーブルの脚部より短い子脚部を備え、且つ該親テーブルの長手方向にスライド自在に嵌合する子テーブル、
からなり、縮小位置において、該子テーブルは該親テーブルの中に収容されることを特徴とする伸縮テーブル。
【請求項２】
前記親テーブルと前記子テーブルのスライド手段が、該親テーブルの第１天板の裏面縁近傍の桟部材に付設される親係合部と、該子テーブルの天板の裏面縁近傍の桟部材に付設される子係合部との係合によるものであることを特徴とする請求項１記載の伸縮テーブル。
【請求項３】
前記親テーブルの脚部は、該天板の裏面４隅から下方に延びる４脚であり、前記子テーブルの脚部は、子テーブルの天板の長手方向の先端の裏面２隅から下方に延びる２脚であることを特徴とする請求項１又は２記載の伸縮テーブル。
【請求項４】
縮小位置において、該子テーブルは該親テーブルの中に平面視で該子テーブルが見えない状態に収容されることを特徴とする請求項１〜３のいずれか１項記載伸縮テーブル。
【請求項５】
前記第１天板の子テーブル出没側の縁部に、蝶番により該第１天板に折り畳み自在に取り付けられる該第１天板とほぼ同じ大きさの第２天板を有し、縮小状態で該第１天板上に折り畳まれ、伸長時で該第１天板のほぼ２倍の広さで使用し、且つ伸長時における該第１天板と該第２天板の天板上面は面一であることを特徴とする請求項１〜４のいずれか１項記載伸縮テーブル。
【考案の詳細な説明】
【技術分野】
【０００１】
本考案は、オフィス、学校、一般家庭内において、縮小状態で小さく、伸長状態で長手方向に広く使える伸縮テーブルに関するものである。
【背景技術】
【０００２】
テーブルにはオフィス等で使用する片袖タイプ、両袖タイプのスチールテーブル、大会議室で使用する折り畳み自在の長手方向に長い天板を備えるテーブル、あるいは天板と該天板の裏面４隅から下方へ延びる４つの脚部を備えるシンプル構造のテーブルなど種々のものがある。
【０００３】
このうち、折り畳み自在の長手方向に長い天板を備えるテーブルは、待機状態では小さく、使用時には通常状態とするものであり、具体的には、長手方向の中央で真っ二つに折り込むテーブル、天板を該天板の裏面中央の長手方向に付設された軸を中心に鉛直方向に９０度回動して折り込むテーブルなどがある。これらは、待機状態において、複数台置いてもスペースを採らないように工夫されたものである。
【０００４】
一方、オフィス、学校、一般家庭内において、通常は小さいテーブルで十分であるものの、時には長手方向に長い大きなテーブルが必要となる場合がある。この場合、小さいテーブルをもう１つ用意し、２つのテーブルを横並びで使用していた。
【考案の開示】
【考案が解決しようとする課題】
【０００５】
しかしながら、小さいテーブルを２つ横並びで使用する場合、２つのテーブルを使用しない場合には、１つの小さいテーブルの保管場所が必要となる。また、２つのテーブルを使用する際、保管された１つの小さなテーブルを保管場所から搬出する作業があり、また、元に戻す収納作業もあり面倒である。
【０００６】
従って、本考案の目的は、別途の保管場所を必要とせず、１つのテーブルで小さく使え、時には長手方向に広く使える伸縮テーブルを提供することにある。
【課題を解決するための手段】
【０００７】
かかる実情において、本考案者は鋭意検討を行った結果、第１天板と、該第１天板から下方へ延びる脚部とからなる親テーブルと、該親テーブルの長手方向にスライド自在に嵌合する、該親テーブルの第１天板より小さな子天板と、該子天板から下方に延びる、該親テーブルの脚部より短い子脚部とからなる子テーブルからなり、縮小位置において、該子テーブルは該親テーブルの中に収容される伸縮テーブルであれば、別途の保管場所を必要とせず、１つのテーブルで小さく使え、時には長手方向に広く使えることを見出し、本考案を完成するに至った。
【０００８】
すなわち、本考案は、第１天板と、該第１天板から下方へ延びる脚部を備える親テーブルと、該親テーブルの第１天板より小さな子天板と、該子天板から下方に延びる、該親テーブルの脚部より短い子脚部を備え、且つ該親テーブルの長手方向にスライド自在に嵌合する子テーブル、からなり、縮小位置において、該子テーブルは該親テーブルの中に収容されることを特徴とする伸縮テーブルを提供するものである。
【０００９】
また、本考案は、前記親テーブルと前記子テーブルのスライド手段が、該親テーブルの第１天板の裏面縁近傍の桟部材に付設される親係合部と、該子テーブルの天板の裏面縁近傍の桟部材に付設される子係合部との係合によるものであることを特徴とする前記伸縮テーブルを提供するものである。
【００１０】
また、本考案は、前記親テーブルの脚部は、該天板の裏面４隅から下方に延びる４脚であり、前記子テーブルの脚部は、子テーブルの天板の長手方向の先端の裏面２隅から下方に延びる２脚である前記伸縮テーブルを提供するものである。
【００１１】
また、本考案は、縮小位置において、該子テーブルは該親テーブルの中に平面視で該子テーブルが見えない状態に収容される前記伸縮テーブルを提供するものである。
【００１２】
また、本考案は、前記第１天板の子テーブル出没側の縁部に、蝶番により該第１天板に折り畳み自在に取り付けられる該第１天板とほぼ同じ大きさの第２天板を有し、縮小状態で該第１天板上に折り畳まれ、伸長時で該第１天板のほぼ２倍の広さで使用し、且つ伸長時における該第１天板と該第２天板の天板上面は面一である前記伸縮テーブルを提供するものである。
【考案の効果】
【００１３】
本考案によれば、１つのテーブルで小さく使え、時には長手方向に広く使える。従来、このような場合には、２つのテーブルが必要であり、１つのテーブルの別途の保管場所を必要とするか、あるいは部屋のスペースを無駄に使用していたが、本考案の伸縮テーブルによれば、別途の保管場所を必要とせず、また、部屋のスペースを無駄に使用することもない。また、第２天板を付設すれば、第１天板に折り畳み自在の伸長状態であっても、天板面は段差が生じることもなく、使用状態もよい。
【考案を実施するための最良の形態】
【００１４】
本考案の実施の形態における伸縮テーブルを図１〜図６を参照して説明する。図１は本考案の実施の形態における伸縮テーブルの縮小状態における斜視図、図２は図１の伸縮テーブルの伸長状態の初期における斜視図、図３は図２の伸長状態において、親テーブルに付設された第２天板ルを展開した状態を示す図、図４は図１の伸縮テーブルの最終の伸長状態における斜視図、図５は図４の伸縮テーブルを上下逆さに置いた図、図６は図１の矢印Ａ部分を拡大した一部を断面で示す図である。なお、図５はスライド手段を判り易くするためのものであり、実際の使用状態を示すものではない。また、図６は天板部分とスライド手段に拘わる部材は、判り易くするために斜線を付した。また、本明細書において、子テーブルが伸縮する方向（長手方向とも言う）において、子テーブルが引き出される方向が「前」、押し戻される方向が「後」である。
【００１５】
伸縮テーブル１０は、矩形状の第１天板１と、第１天板１の裏面４隅から下方に延びる４つの脚部２ａ〜２ｄとを備える親テーブル１Ａと、親テーブル１Ａの第１天板１より小さな矩形状の子天板５１と、子天板５１から下方に延びる、親テーブル１Ａの４つの脚部２ａ〜２ｄより短い子脚部５２ａ〜５２ｄとを備えるものであって、親テーブル１Ａの長手方向にスライド自在に嵌合する子テーブル５０Ａからなり、図１に示す縮小位置において、子テーブル５０Ａは親テーブル１Ａの中に収容される。
【００１６】
また、親テーブル１Ａの第１天板１の裏面の４つの縁部のうち、子テーブル５０Ａが出没する側の縁部を除いた３つの縁部には、脚部間に差し渡しで補強用の桟部材３ａ、３ｂ、４が付設されている。
【００１７】
また、両側の桟部材３ａ、３ｂの内側には後述するスライド手段の一部である親係合部が付設されるため、両側の桟部材３ａ、３ｂの内側の面と、親テーブル１Ａの前方側の脚部２ｂ、２ｃの上方の内側の面は、段差が無い同一面となっている。これにより、子テーブル５０Ａが入り込む親テーブル１Ａの入口側から奥側にかけて、幅寸法は同一となっている。
【００１８】
子テーブル５０Ａの天板５１の幅寸法は、親テーブル１Ａの前方側の脚部２ｂ、２ｃ間、言い換えれば両側桟部材３ａ、３ｂ間の内側寸法であり、奥行き寸法は、親テーブル１Ａの後側桟部材４の内側から天板１の前方端までの寸法である。また、子テーブル５０Ａの天板５１の裏面の４つの縁部のうち、後側の縁部を除いた３つの縁部には、脚部間に差し渡しで補強用の桟部材５３ａ、５３ｂ、５４が付設されている。
【００１９】
また、両側の桟部材５３ａ、５３ｂの外側には後述するスライド手段の一部である子係合部が付設されるため、両側の桟部材５３ａ、５３ｂの外側の面と、子テーブル５０Ａの前方側の脚部５２ａ、５２ｂの上方の外側の面は、段差の無い同一面となっている。これにより、親テーブル１Ａと子テーブル５０Ａ間には余分な隙間を発生させることなく、親テーブル１Ａと子テーブル５０Ａはコンパクトに収納できる。
【００２０】
また、子テーブル５０Ａの脚部は、子テーブルの天板の長手方向の先端の裏面２隅から下方に延びる（前方側の）２つの脚部５２ａ、５２ｂを有するのみで、後方側の脚部を持たないものである。前方側の２つの脚部５２ａ、５２ｂの長さ（Ｈ２）は、親テーブル１Ａの脚部２ａ〜２ｄ（Ｈ１）より短く、概ね前方側の２つの脚部５２ａ、５２ｂの長さ（Ｈ２）に天板５１の厚さ（Ｈ３）を加えたものが、親テーブル１Ａの脚部２ａ〜２ｄ（Ｈ１）に相当する。また、子テーブル５０Ａの前方側の２つの脚部５２ａ、５２ｂの先端には、任意の構成要素である車輪５５ａ、５５ｂが付設されている。
【００２１】
親テーブル１Ａと子テーブル５０Ａのスライド手段は、親テーブル１Ａの第１天板１の裏面縁近傍の桟部材に付設される親係合部と、子テーブル５０Ａの天板の裏面縁近傍の桟部材に付設される子係合部との係合によるものである。本例では、親テーブル１Ａの両側の桟部材３ａ、３ｂの内側面に付設される、長手方向の溝７が親係合部であり、子テーブル５０Ａの両側の桟部材５３ａ、５３ｂの表側に付設される、溝７に遊嵌状態で嵌合する軸ピン８１が子係合部である（図６参照）。軸ピン８１は本例では支持部材８に固定されている。
【００２２】
また、親テーブル１Ａには、第１天板１の子テーブル５０Ａ出没側の縁部に、蝶番（不図示）により第１天板１に折り畳み自在に取り付けられる第１天板１とほぼ同じ大きさで且つ同じ厚みの第２天板６１が付設されている。第２天板６１は、伸長状態であっても、天板面は段差が生じることもなく、使用状態もよい。
【００２３】
次に、伸縮テーブル１０の使用方法について説明する。伸縮テーブル１０を縮小状態とする場合、親テーブル１Ａを手で押さえ、あるいは手で押さえることなく、親テーブル１Ａの中に子テーブル５０Ａを押し込む。これにより、子テーブル５０Ａの両側の桟部材５３ａ、５３ｂの支持部材８に固定され外側に突出する軸ピン８１は、親テーブル１Ａの両側の桟部材３ａ、３ｂの内側面の長手方向に付設される溝７に沿って移動し、子テーブル５０Ａは親テーブル１Ａの中に円滑に誘導される。また、子テーブル５０Ａの脚部の先端に付設された車輪５５ａ、５５ｂにより、子テーブル５０Ａの移動は一層円滑に行われる。伸縮テーブル１０は、縮小位置において、子テーブル５０Ａは親テーブル１Ａの中に収容され、子テーブル５０Ａは親テーブル１Ａの中に平面視で子テーブル５０Ａが完全に見えない状態となる（図１参照）。この縮小された伸縮テーブル１０は室内においてスペースを採らず、また、狭い場所で十分なデスクワーク等に好適である。
【００２４】
伸縮テーブル１０を縮小状態から伸長状態とする場合、親テーブル１Ａを手で押さえ、あるいは手で押さえることなく、親テーブル１Ａに収容されている子テーブル５０Ａを引き出す。これにより、子テーブル５０Ａを子テーブル５０Ａの両側の桟部材５３ａ、５３ｂの支持部材８に固定される軸ピン８１は、親テーブル１Ａの両側の桟部材３ａ、３ｂの内側面の長手方向に付設される溝７に案内されるため、子テーブル５０Ａは円滑に引き出される。また、子テーブル５０Ａの脚部の先端に付設された車輪５５ａ、５５ｂにより、子テーブル５０Ａの移動は一層円滑に行われる（図２）。次いで、折り畳まれた第２天板６１の後側部を持ち上げて、１８０度回動させる（図３）。この伸長された伸縮テーブル１０は、伸長時で第１天板１のほぼ２倍の広さで使用することができ、広い場所が必要なデスクワークに好適である。また、天板面は段差が生じることもないため、使用状態もよい。
【００２５】
本実施の形態における伸縮テーブル１０において、親テーブル１Ａ内に子テーブル５０Ａが収容される形状であれば、親テーブル１Ａの脚部の形状は特に制限されず、例えば、後側の両脚部は一体化されたものであってもよい。また、本実施の形態における伸縮テーブル１０において、スライド手段は無くてもよいが、スライド手段はあった方が、円滑な移動ができる点で好ましい。また、スライド手段における親係合部と子係合部は、いずれが雌係合部又は雄係合部であってもよい。
【図面の簡単な説明】
【００２６】
【図１】本考案の実施の形態における伸縮テーブルの縮小状態における斜視図である。
【図２】図１の伸縮テーブルの伸長状態の初期における斜視図である。
【図３】図２の伸長状態において、親テーブルに付設された第２天板を展開した状態を示す図である。
【図４】図１の伸縮テーブルの最終の伸長状態における斜視図である。
【図５】図４の伸縮テーブルを上下逆さに置いた図である。
【図６】図１の矢印Ａ部分を拡大した一部を断面で示す図である。
【符号の説明】
【００２７】
１      第１天板
１Ａ    親テーブル
２ａ〜２ｄ  ４つの脚部
３ａ、３ｂ、４、５３ａ、５３ｂ、５４    補強用の桟部材
７      溝
１０    伸縮テーブル
５０Ａ  子テーブル
５１    子天板
５２ａ、５２ｂ    ２つの脚部
６１    第２天板
８１    軸ピン
【図１】
0003108983.tif 000003
【図２】
0003108983.tif 000004
【図３】
0003108983.tif 000005
【図４】
0003108983.tif 000006
【図５】
0003108983.tif 000007
【図６】
0003108983.tif 000008